(57)【要約】【課題】表示装置の前面カバーの板部の歪みを防止することができる表示装置を提供する。【解決手段】表示装置は、表示画面を有する第１パネルと、コーナ部を有し、前記第１パネルと重なった第２パネルと、前記第１パネルとは反対側から前記第２パネルと接合された板部と、前記第２パネルの前記板部が接合された面で、前記コーナ部から外れた位置に設けられた凹部とを備える。【選択図】図８
2011160466.tif 000002
【特許請求の範囲】
【請求項１】
表示画面を有する第１パネルと、
コーナ部を有し、前記第１パネルと重なった第２パネルと、
前記第１パネルとは反対側から前記第２パネルと接合された板部と、
前記第２パネルの前記板部が接合された面で、前記コーナ部から外れた位置に設けられた凹部と
を具備することを特徴とする表示装置。
【請求項２】
前記凹部を、前記板部と反対側の位置で結合する結合部を具備することを特徴とする請求項１記載の表示装置。
【請求項３】
前記結合部は、ネジ孔が設けられたボスを有することを特徴とする請求項２記載の表示装置。
【請求項４】
前記ボスのネジ孔にネジで螺嵌して結合された背面カバーまたは本体を具備することを特徴とする請求項３記載の表示装置。
【請求項５】
前記凹部は、前記第２パネルの前記板部が接合する接合面において、該接合面と反対側の面にボスが存在する箇所に対応する位置に配置されていることを特徴とする請求項３または４記載の表示装置。
【請求項６】
前記第２パネルは、枠形状をなし、該枠形状に沿って複数の前記凹部を有することを特徴とする請求項１記載の表示装置。
【請求項７】
前記凹部は、枠形状をなす前記第２パネルの長辺に設けられている数よりも前記枠の短辺に設けられている数が少ないことを特徴とする請求項１記載の表示装置。
【請求項８】
前記凹部は、１個以上のリブを有することを特徴とする請求項１記載の表示装置。
【請求項９】
前記リブの上に敷設された両面接着テープを具備することを特徴とする請求項８記載の表示装置。
【請求項１０】
前記板部を前記第２パネルに接合する両面接着テープを具備することを特徴とする請求項１記載の表示装置。
【請求項１１】
表示画面を有する第１パネルと、
コーナ部を有し、前記第１パネルと重なった第２パネルと、
前記第１パネルとは反対側から前記第２パネルと接合されるとともに、前記コーナ部から外れた位置で一部が前記第２パネルと離間された板部と
を具備することを特徴とする表示装置。
【発明の詳細な説明】
【技術分野】
【０００１】
本発明は、平面型表示パネルを有する表示装置に関する。
【背景技術】
【０００２】
近年、液晶表示パネルやＰＤＰ（Plasma Display Panel）などの表示パネルを用いた薄型テレビの画面の大型化が進展し、４０型（有効可視領域の対角長が４０インチ）以上の薄型テレビも多数商品化されている。薄型テレビの外形は、画面のアスペクト比が１６：９の横長で矩形の平板であり、薄型テレビを正面から見た場合に矩形の表示パネル、表示パネルの周囲を囲む略矩形枠状の前面カバー、スタンドが主な概観部品となっている。
【０００３】
特に前面カバーは、薄型テレビの見栄えを印象付ける意匠上重要な要素となっている。
前面カバーに傷、歪みがあると、商品性を著しく損ねることになるため、組立て方法や前面カバーを構成する部品に様々な工夫が提案されている。
【０００４】
例えば、表示モジュールが収納される筐体を構成する前枠と後枠とにおいて、前枠が、前面前枠と後面前枠とで構成され、前面前枠は透明な板であって、後面前枠と両面テープで結合し、かつ、後面前枠と結合する面に着色料が塗布されており、後面前枠は、コーナ部を中心とする複数の枠に分割して組み立て易くし、固定される締結具の位置を中心とする所定の範囲を、接着剤がない領域として、前面前枠に加わる力を軽減することが考案されている（例えば特許文献１参照。）。
【先行技術文献】
【特許文献】
【０００５】
【特許文献１】特開２００９−８８９８２号公報
【発明の概要】
【発明が解決しようとする課題】
【０００６】
薄型テレビの前面カバーには化粧板が取り付けられる場合が多く、大型の薄型テレビでは、化粧板に歪みが生じ易い。化粧板は全体が片仮名のロの字の枠状の薄板、または、コの字、アルファベットのLの字の形状の薄板を複数使用する構造であって、前面カバーに接着あるいはネジ等により結合される場合が多い。
【０００７】
化粧板は薄板であるので、前面カバーとの接合部において前面カバーの形状に倣って変形する可能性が大きいため、前面カバーは化粧板が接合する面の平面性が求められる。その平面性は、前面カバーと後面カバーまたは前面カバーと本体が組み付けられた後でも確保されていることが望ましい。
【０００８】
前面カバーと後面カバーまたは前面カバーと本体の結合箇所に相当する前面パネルのボス部は、射出成型におけるヒケや結合によって発生する応力による変形が起き易い。そのため、化粧板は前面パネルの変形に倣って変形し易く、それらの部分で歪み、うねりが生ずる。特に化粧板の表面が光沢面である場合には見栄えが悪い。
【０００９】
本発明は上記したような事情に鑑み成されたものであって、表示装置の前面カバーの板部の歪みを防止することができる表示装置を提供することを目的とする。
【課題を解決するための手段】
【００１０】
上記目的を達成するために、本発明の表示装置は、表示画面を有する第１パネルと、コーナ部を有し、前記第１パネルと重なった第２パネルと、前記第１パネルとは反対側から前記第２パネルと接合された板部と、前記第２パネルの前記板部が接合された面で、かつ前記コーナ部から外れた位置に設けられた凹部とを具備することを特徴とする。
【発明の効果】
【００１１】
本発明によれば、表示装置の前面カバーの板部の歪みを防止することができる。
【図面の簡単な説明】
【００１２】
【図１】本発明による表示装置の概観を示した斜視図。
【図２】表示装置を横から見たときの断面を示した図。
【図３】化粧板を前面側から見た図。
【図４】前面パネルを前面側から見た図。
【図５】凹部を拡大した図。
【図６】円形状の凹部を拡大した図。
【図７】前面パネルに両面接着テープが敷設された状態を示した図。
【図８】前面カバーの上部の断面を示した図。
【図９】前面カバーと背面カバーが組み立てられた状態の上部の断面を示した図。
【発明を実施するための形態】
【００１３】
以下に本発明の実施例について、図１から図９を参照しながら説明する。
【００１４】
図１は、本発明による表示装置１の概観を示した斜視図である。図２は、表示装置１を横から見たときの断面を示した図である。表示装置１は、本体２と、本体２を支持するスタンド３を備えている。本体２は前面側に液晶パネルやＰＤＰパネル等の表示パネル４が配置され、表示パネル４の背面側に表示パネル４を支持するシャーシ５が配置されている。
【００１５】
シャーシ５の背面側には表示パネル４を駆動するための回路基板６や電源回路基板７が配置されている。本体２の前面側と本体の上面、底面、両側側面の一部を覆う前面カバー８と、本体２の背面と本体の上面、底面、両側側面の一部を覆う背面カバー９とによって外面が囲まれている。
【００１６】
前面カバー８は表示パネル４の周囲を囲む略矩形枠状をなしており、表示装置１の概観のデザインを決定づける構成部品となっている。前面カバー８は、表示パネル４を取り囲む前面パネル１０と前面パネル１０の前面に接合された化粧板１１により構成されている。
【００１７】
図３は、化粧板１１を前面側から見た図である。化粧板１１は、全体が片仮名のロの字の枠状の薄板である。化粧板１１は、例えば、透明または半透明な樹脂により射出成型により成型されている。前面パネル１０との接合面側に塗装を施される場合もある。化粧板１１の前面側は平坦であり、鏡面のような光沢を有する場合もある。
【００１８】
図４は、前面パネル１０を前面側から見た図である。前面パネル１０は、全体が片仮名のロの字の枠形状であり、前面カバー８の主体をなす部品である。前面パネル１０は、シャーシ５と接合され、また背面カバー９と接合されるため、前面パネル１０の背面側には、接合するためのボスが複数設けられている。また動作表示部が取り付けられる開口部１４を有している。前面パネル１０の前面側に化粧板は１１が両面接着テープ等を用いた接着により接合される。
【００１９】
前面パネル１０は、化粧板１１が接合する接合面１２に凹部１３を有している。凹部１３は、化粧板１１が接合する接合面において、該接合面１２と反対側の面にボス２０（図８参照）が存在する箇所に対応する位置に配置されている。凹部１３は、枠形状に沿って複数の凹部１３ａ〜１３ｄを有している。図４においては、上部に２個、左右に１個ずつで合計４個設けられている。
【００２０】
図５は、凹部１３を拡大した図である。凹部１３の底面１５の深さは接合面１２から０．５〜２ｍｍである。凹部１３は、１個以上のリブ１６を有している。図５の例では、３個のリブ１６ａ〜１６ｃが設けられている。リブ１６の最も高い分部分は接合面１２と略同一である。図５に示した凹部１３の形状は略長方形であるが、円形や楕円形であっても構わない。図６は、円形状の凹部１７の例を拡大した図である。凹部１７においても１個以上のリブ１８を有している。図６の例では、３個のリブ１８ａ〜１８ｃが設けられている。
【００２１】
図７は、前面パネル１０に両面接着テープ１９が敷設された状態を示した図である。化粧板１１は両面接着テープ１９により前面パネル１０に接合されるが、接合前に前面パネル１０に敷設される。図７の例においては、両面接着テープ１９は、７個に分割（１９ａ〜１９ｇ）されている。更に、図７の例においては、両面接着テープ１９ａと１９ｂは同じ大きさであり、両面接着テープ１９ｃと１９ｄは同じ大きさである。また、両面接着テープ１９ｅと１９ｇは同じ大きさである。同じ大きさの両面接着テープを用いることにより、両面接着テープの部品の種類の削減と敷設工程の効率的化を図ることができる。両面接着テープの分割数は任意であり、また、各両面接着テープが異なる大きさであってもよいことは言うまでもない。
【００２２】
凹部１３のリブ１６の上に両面接着テープ１９が敷設されている。両面接着テープ１９ａは凹部１３ａのリブ１６上に敷設されている。同様に、両面接着テープ１９ｂは凹部１３ｂのリブ１６上に、両面接着テープ１９ｃは凹部１３ｃのリブ１６上に、両面接着テープ１９ｄは凹部１３ｄのリブ１６上に敷設されている。
【００２３】
リブ１６を所定の間隔で複数設けたことにより、凹部１３の部分では、接着面積が小さくなり接着力が小さくなって、前面パネル１０と化粧板１１が適度な接着力により接合される。接着力の大きさは、リブ１６の数や幅を増加させることによって大きくすることが
できる。リブ１６の数や幅を調節することによって接着力の大きさを調整することが可能である。
【００２４】
リブ１６を所定の間隔で複数設けたことにより、凹部１３の上に両面接着テープ１９を敷設した際、凹部１３の底面１５に両面接着テープ１９が接着しないようにすることができる。例えば、リブ１６がない場合には、凹部１３の底面１５に、両面接着テープ１９が接着し、化粧板１１を接合した場合に化粧板１１の平面性が保たれない虞がある。また、リブ１６がない場合には、凹部１３の部分において、化粧板１１が前面パネル１０に全く接着されない状態となり、化粧板１１が凹部１３の部分でへこへこした状態となる虞がある。
【００２５】
前述のように両面接着テープ１９が、敷設された後で、前面パネル１０に化粧板１１が接合される。化粧板１１に先に両面接着テープ１９を敷設してもよいが、化粧板１１を前面パネル１０に接合したときに、両面接着テープ１９がリブ１６上に配置されるようにすればよい。
【００２６】
図８は、前面カバー８の上部の断面を示した図である。化粧板１１が両面接着テープ１９により前面パネル１０に接合された状態を示している。化粧板が接合する接合面１２において、該接合面１２と反対側の面にボス２０が存在する箇所に対応する位置に凹部１３が配置されている。ボス２０には、ネジ穴２１が設けられている。ネジ孔２１は、前面カバー８と背面カバー９または本体を結合するネジが螺嵌するためのネジ穴である。
【００２７】
凹部１３の部分では、両面接着テープ１９が、リブ１６の部分のみで接着されるため、接着面積が小さくなり、前面パネル１０と化粧板１１の接着力が小さくなっている。前面パネル１０と化粧板１１が適度な接着力により接合されため、例えば、射出成型におけるヒケによって凹部１３の範囲に歪みが発生した場合でも、化粧板１１の歪みを防止、または軽減することが可能となる。
【００２８】
凹部１３にリブ１６がない場合には、凹部１３の部分で接着されない状態となり、化粧板１１の外縁部２２の部分がへこへこした状態となり、外縁部２２に歪みが発生する虞がある。このためリブ１６によって適度な接着力を確保することにより、ヒケの影響を防止しつつ、化粧板１１の外縁部２２の変形を防止することが可能となる。
【００２９】
図９は、前面カバー８と背面カバー９が組み立てられた状態の上部の断面を示した図である。化粧板１１が両面接着テープ１９により前面パネル１０に接合された状態を示している。背面カバー９が、ネジ２３によって前面カバー８に結合されている。
【００３０】
ネジ２３がネジ穴２１に螺嵌し、締め付けられていくと背面カバー９の当接部２４と前面パネル１０の当接部２５が当接する。更にネジ２３が締め付けられていくと、ボス２０に対して背面方向の力が作用し、ボス２０及び凹部１３の部分を変形させるような力が作用する。その結果僅かな変形が発生する虞がある。
【００３１】
凹部１３の部分では、両面接着テープ１９が、リブ１６の部分のみで接着されるため、接着面積が小さくなり、前面パネル１０と化粧板１１の接着力が小さくなっている。従って、前面パネル１０と背面カバー９の結合によって発生する応力による変形が生じた場合でも、適度な接着力を発揮することにより、化粧板１０の歪みを防止、または軽減することが可能となる。
【００３２】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００３３】
１  表示装置
２  本体
３  スタンド
４  表示パネル
５  シャーシ
６  回路基板
７  電源回路基板
８  前面カバー
９  背面カバー
１０  前面パネル
１１  化粧板
１２  接合面
１３  凹部
１３ａ〜１３ｄ  凹部
１６  リブ
１６ａ〜１６ｃ  リブ
１９  両面接着テープ
１９ａ〜１９ｇ  両面接着テープ
２０  ボス
２１  ネジ穴
２３  ネジ
【図１】
2011160466.tif 000003
【図２】
2011160466.tif 000004
【図３】
2011160466.tif 000005
【図４】
2011160466.tif 000006
【図５】
2011160466.tif 000007
【図６】
2011160466.tif 000008
【図７】
2011160466.tif 000009
【図８】
2011160466.tif 000010
【図９】
2011160466.tif 000011